(57)【要約】【課題】複数チャネルを同時受信する際に複数チャネルの受信信号品質を最適化する。【解決手段】受信装置１は、低周波信号を増幅して増幅信号を生成する可変利得増幅部１３と、増幅信号を互いに合成してアナログ合成信号Ｓａを生成する信号合成部１４と、アナログ合成信号Ｓａをデジタル合成信号Ｓｄに変換する信号変換部１５と、デジタル合成信号Ｓｄから検波信号を抽出する検波部１６と、検波信号の受信品質を検出する受信品質検出部１９と、複数種の受信目的と所要受信品質を表す所要品質パラメータとの間の関係を定める受信目的管理部２１と、所要品質パラメータと受信品質の各々の値とを比較し、その比較結果に基づいて可変利得増幅部１３の利得を制御する利得制御部とを備える。【選択図】図２
2014155036.tif 000002
【特許請求の範囲】
【請求項１】
所定の受信目的に応じて選択された第１乃至第Ｍのチャネル（Ｍは２以上の整数）を通じて伝送された信号を単一の受信系統で受信する受信装置であって、
互いに異なる発振周波数を有する第１乃至第Ｍの発振信号を用いて前記受信系統で得られたアナログ受信信号を周波数変換することにより、第１乃至第Ｍの低周波信号を生成する周波数変換部と、
前記第１乃至第Ｍの低周波信号を第１乃至第Ｍの利得でそれぞれ増幅して第１乃至第Ｍの増幅信号を生成する可変利得増幅部と、
前記第１乃至第Ｍの増幅信号を互いに合成してアナログ合成信号を生成する信号合成部と、
前記アナログ合成信号をデジタル合成信号に変換する信号変換部と、
前記デジタル合成信号から前記第１乃至第Ｍのチャネルにそれぞれ対応する第１乃至第Ｍの検波信号を抽出する検波部と、
前記第１乃至第Ｍの検波信号のＭ個の受信品質をそれぞれ検出する受信品質検出部と、
複数種の受信目的と所要受信品質を表す所要品質パラメータとの間の関係を定める受信目的管理部と、
前記受信目的管理部を参照して前記所定の受信目的に関連付けられた当該所要品質パラメータを取得し、当該取得された所要品質パラメータと前記受信品質検出部で検出されたＭ個の受信品質の各々の値とを比較し、その比較結果に基づいて前記可変利得増幅部における第１乃至第Ｍの利得を制御する利得制御部と
を備えることを特徴とする受信装置。
【請求項２】
請求項１に記載の受信装置であって、
前記複数種の受信目的は、
デジタル情報受信及びアナログ情報受信のうちの少なくとも１種で構成される復調目的と、
映像信号受信、音声信号受信、及び、前記映像信号受信と前記音声信号受信とを除くデータ信号受信のうちの少なくとも１種で構成される復号目的と
を含み、
前記受信目的管理部は、前記復調目的及び前記復号目的の組み合わせに対応して設定された値を前記所要品質パラメータとして含む
ことを特徴とする受信装置。
【請求項３】
請求項２に記載の受信装置であって、前記利得制御部は、前記Ｍ個の受信品質のうち前記映像信号受信を受信目的とする当該検波信号の受信品質の値が、前記Ｍ個の受信品質のうち前記音声信号受信を受信目的とする当該検波信号の受信品質の値よりも大きくなるように前記第１乃至第Ｍの利得を制御することを特徴とする受信装置。
【請求項４】
請求項２または３に記載の受信装置であって、前記利得制御部は、前記Ｍ個の受信品質のうち前記復号目的として同種の受信目的を有する２以上の検波信号の受信品質の値が互いに等しくなるように前記第１乃至第Ｍの利得を制御することを特徴とする受信装置。
【請求項５】
請求項２から４のうちのいずれか１項に記載の受信装置であって、前記利得制御部は、前記Ｍ個の受信品質のうち前記デジタル情報受信を受信目的とする当該検波信号の受信品質の値が、前記Ｍ個の受信品質のうち前記アナログ情報受信を受信目的とする当該検波信号の受信品質の値よりも大きくなるように前記第１乃至第Ｍの利得を制御することを特徴とする受信装置。
【請求項６】
請求項２から５のうちのいずれか１項に記載の受信装置であって、
前記第１乃至第Ｍの発振信号のうちの少なくとも１つの発振周波数を変化させてチャネルを検索するチャネル制御部をさらに備え、
前記複数種の受信目的は、固定チャネル受信と、前記チャネルの検索を実行するためのチャネル探索とをさらに含み、
前記受信目的管理部は、前記復調目的、前記復号目的、前記固定チャネル受信及び前記チャネル検索の組み合わせに対応して設定された値を前記所要品質パラメータとして含む
ことを特徴とする受信装置。
【請求項７】
請求項６に記載の受信装置であって、前記利得制御部は、前記Ｍ個の受信品質のうち前記チャネル検索を受信目的とする当該検波信号の受信品質の値が、前記固定チャネル受信を受信目的とする当該検波信号の受信品質の値よりも小さくなるように前記第１乃至第Ｍの利得を制御することを特徴とする受信装置。
【請求項８】
請求項１から７のうちのいずれか１項に記載の受信装置であって、前記利得制御部は、前記比較結果の総和が減少するように前記第１乃至第Ｍの利得を制御することを特徴とする受信装置。
【請求項９】
請求項８に記載の受信装置であって、前記比較結果は、当該取得された所要品質パラメータと前記受信品質検出部で検出されたＭ個の受信品質の各々の値との間の差分絶対値であることを特徴とする受信装置。
【請求項１０】
請求項１から９のうちのいずれか１項に記載の受信装置であって、前記利得制御部は、前記デジタル合成信号の振幅を監視して、前記アナログ合成信号の振幅が前記信号変換部のダイナミックレンジ内に収まるように前記第１乃至第Ｍの利得を制御することを特徴とする受信装置。
【請求項１１】
請求項１から１０のうちのいずれか１項に記載の受信装置であって、前記受信品質は、受信電力、信号対雑音電力比及び希望波対非希望波電力比の中のいずれか１つであることを特徴とする受信装置。
【請求項１２】
請求項１１に記載の受信装置であって、
前記受信品質検出部は、
前記第１乃至第Ｍの検波信号の各々から前記受信電力を算出して出力する電力情報算出部と、
前記第１乃至第Ｍの検波信号の各々の時間相関値を算出し、前記時間相関値に基づいて前記信号対雑音電力比及び前記希望波対非希望波電力比の少なくとも一方を算出して出力する相関演算部と、
前記受信電力、前記信号対雑音電力比及び前記希望波対非希望波電力比のいずれか１つを前記受信品質の値として選択するセレクタと
を含むことを特徴とする受信装置。
【請求項１３】
請求項１２に記載の受信装置であって、前記セレクタは、前記第１乃至第Ｍの検波信号の各々が前記時間相関値を算出可能な伝送フォーマットを有するとき、前記相関演算部の出力を前記受信品質の値として選択し、前記第１乃至第Ｍの検波信号の各々が前記時間相関値を算出可能な伝送フォーマットを有していないとき、前記電力情報算出部の出力を前記受信品質の値として選択することを特徴とする受信装置。
【請求項１４】
所定の受信目的に応じて選択された第１乃至第Ｍのチャネル（Ｍは２以上の整数）を通じて伝送された信号を単一の受信系統で受信する受信方法であって、
互いに異なる発振周波数を有する第１乃至第Ｍの発振信号を用いて、前記受信系統で得られたアナログ受信信号を周波数変換することにより、第１乃至第Ｍの低周波信号を生成するステップと、
前記第１乃至第Ｍの低周波信号を第１乃至第Ｍの利得でそれぞれ増幅して第１乃至第Ｍの増幅信号を生成するステップと、
前記第１乃至第Ｍの増幅信号を互いに合成してアナログ合成信号を生成するステップと、
前記アナログ合成信号をデジタル合成信号に変換するステップと、
前記デジタル合成信号から前記第１乃至第Ｍのチャネルにそれぞれ対応する第１乃至第Ｍの検波信号を抽出するステップと、
前記第１乃至第Ｍの検波信号のＭ個の受信品質をそれぞれ検出するステップと、
複数種の受信目的と所要受信品質を表す所要品質パラメータとの間の関係を定める受信目的管理部を参照して、前記所定の受信目的に関連付けられた当該所要品質パラメータを取得するステップと、
当該取得された所要品質パラメータと当該検出されたＭ個の受信品質の各々の値とを比較し、その比較結果に基づいて第１乃至第Ｍの利得を制御するステップと
を備えることを特徴とする受信方法。
【請求項１５】
請求項１４に記載の受信方法であって、
前記複数種の受信目的は、
デジタル情報受信及びアナログ情報受信のうちの少なくとも１種で構成される復調目的と、
映像信号受信、音声信号受信、及び、前記映像信号受信と前記音声信号受信とを除くデータ信号受信のうちの少なくとも１種で構成される復号目的と
を含み、
前記受信目的管理部は、前記復調目的及び前記復号目的の組み合わせに対応して設定された値を前記所要品質パラメータとして含む
ことを特徴とする受信方法。
【請求項１６】
請求項１４または１５に記載の受信方法であって、
前記第１乃至第Ｍの発振信号のうち少なくとも１つの発振周波数を変化させてチャネルを検索するステップをさらに備え、
前記複数種の受信目的は、固定チャネル受信と、前記チャネルの探索を実行するためのチャネル探索とをさらに含み、
前記受信目的管理部は、前記復調目的、前記復号目的、前記固定チャネル受信及び前記チャネル検索の組み合わせに対応して設定された値を前記所要品質パラメータとして含む
ことを特徴とする受信方法。
【発明の詳細な説明】
【技術分野】
【０００１】
本発明は、複数チャネルの信号を同時受信する装置及び方法に関する。
【背景技術】
【０００２】
世界各国で放送のデジタル化が広く展開されており、これと並行して、家庭用テレビ受像機、車載用放送受信機及び携帯情報端末をはじめとする様々な受信機がデジタル放送受信機能を持つことも一般的となっている。このような受信形態の多様化に伴い、テレビジョン放送及びラジオ放送だけでなく、これらの双方の特長を組み合わせた新しい放送サービスの運用が本格化している。これに伴い、デジタル放送のチャネル数は今後急速に増加することが予想される。
【０００３】
また、近年では放送受信技術の高度化が進展し、高機能なデジタル放送受信機が本格的に普及しつつある。たとえば、視聴者の嗜好に合わせた放送プログラムの自動選択機能、複数チャネルの同時受信機能及びその録画機能などが既に実用化されている。一方、車載用放送受信機についても、受信地域のシームレスな自動切換技術や、難受信環境での安定した放送受信のための技術が採用され始めている。今後、このようなデジタル放送受信機の高機能化は、受信形態を問わず進化していくと予想される。
【０００４】
特に、複数チャネルを同時に且つ正確に受信する技術は、放送形態と受信形態との双方の多様化に追随して受信機能を高性能化させるための必須技術の１つであるが、この技術を実現するためには、通常、受信を希望するチャネル数と同数のチューナが必要となる。各チューナは、局部発振器で生成された発振信号を用いて高周波数帯域のＲＦ（Ｒａｄｉｏ  Ｆｒｅｑｕｅｎｃｙ）信号を、より低い周波数帯域の低周波信号（たとえば、中間周波数帯域のＩＦ信号）に変換するアナログフロントエンド部を備えている。このようなチャネル数と同数のチューナを設けると、回路規模が増加するという問題がある。
【０００５】
そこで、アナログフロントエンド部における周波数変換時に所定の規則を割り当てることで、複数チャネルの信号を単一チャネルの信号とみなして受信する方法が提案されている。たとえば、特開２００９−４９６０５号公報（特許文献１）に開示されている受信装置は、複数の異なる高周波帯域の無線信号を複数の中間周波帯域の信号にそれぞれ変換する際に、当該中間周波帯域において複数チャンネルの信号成分が周波数軸上で互いに隣接するように発振周波数を調整する。そして、その受信装置は、複数の中間周波帯域の信号を互いに重ね合わせて合成信号を生成し、この合成信号をデジタル信号に変換する。
【０００６】
特許文献１に開示されている受信方法を使用すると、チューナは、周波数変換で得られた複数の中間周波帯域の信号を単一チャネルの信号とみなして処理することができる。具体的には、１つのＡ／Ｄ変換器を用いて合成信号をデジタル信号に変換することができるため、アナログ部品点数を少なくすることができ、コストメリットを獲得することが可能である。
【先行技術文献】
【特許文献】
【０００７】
【特許文献１】特開２００９−４９６０５号公報（段落０００７及び図１など）
【特許文献２】特許第３９５６８２８号公報（段落００１０、図１）
【非特許文献】
【０００８】
【非特許文献１】Ｓｉｍｏｎ  Ｒ．Ｓａｕｎｄｅｒｓ「Ａｎｔｅｎｎａｓ  ａｎｄ  ｐｒｏｐａｇａｔｉｏｎ  ｆｏｒ  ｗｉｒｅｌｅｓｓ  ｃｏｍｍｕｎｉｃａｔｉｏｎ  ｓｙｓｔｅｍｓ」Ｊｏｈｎ  Ｗｉｌｅｙ  ＆  Ｓｏｎｓ，Ｌｔｄ、１９９９、ｐｐ．３３２−３３９.
【発明の概要】
【発明が解決しようとする課題】
【０００９】
特許文献１に開示される従来技術では、受信信号に重畳された非希望信号に起因して信号品質低下が発生するという問題がある。非希望信号としては、たとえば、受信機の内部で発生する熱雑音、もしくは、受信機に外部から到来した干渉信号が挙げられる。
【００１０】
図１（Ａ）〜（Ｄ）は、特許文献１に開示されている従来技術の問題点を説明するための図である。図１（Ａ）は、ＲＦ信号の周波数スペクトルの一例を示す図である。上記特許文献１に開示されている従来技術を使用すれば、図１（Ａ）の周波数スペクトルを持つＲＦ信号を周波数変換して２つのＩＦ信号を生成し、これら２つのＩＦ信号を互いに加算して合成信号を生成することができる。図１（Ｂ）は、ＩＦ帯に変換された一方のＩＦ信号の周波数スペクトルを概略的に示す図であり、図１（Ｃ）は、ＩＦ帯に変換された他方のＩＦ信号の周波数スペクトルを概略的に示す図であり、図１（Ｄ）は、図１（Ｂ），（Ｃ）のＩＦ信号を互いに加算して得られる合成信号の周波数スペクトルを概略的に示す図である。
【００１１】
図１（Ａ）に示されるように、ＲＦ信号は、周波数軸上で互いに離れたチャネル成分（希望信号成分）ＣＨＡ，ＣＨＢを含み、一方のチャネル成分ＣＨＡの両側近傍に非希望信号成分ＮＡ１，ＮＡ２，ＰＡ１，ＰＡ２が存在し、他方のチャネル成分ＣＨＢの両側近傍にも非希望信号成分ＮＢ１，ＮＢ２，ＰＢ１，ＰＢ２が存在する。図１（Ｂ）のＩＦ帯のチャネル成分ＣＨａ及び非希望信号成分Ｎａ１，Ｎａ２，Ｐａ１，Ｐａ２は、図１（Ａ）のＲＦ帯のチャネル成分ＣＨＡ及び非希望信号成分ＮＡ１，ＮＡ２，ＰＡ１，ＰＡ２を周波数変換した結果得られたものである。一方、図１（Ｃ）のＩＦ帯のチャネル成分ＣＨｂ及び非希望信号成分Ｎｂ１，Ｎｂ２，Ｐｂ１，Ｐｂ２は、図１（Ａ）のＲＦ帯のチャネル成分ＣＨＢ及び非希望信号成分ＮＢ１，ＮＢ２，ＰＢ１，ＰＢ２を周波数変換した結果得られたものである。図１（Ｄ）に示されるように、合成信号においては、チャネル成分ＣＨａに非希望信号成分Ｎｂ１が干渉し、チャネル成分ＣＨｂに非希望信号成分Ｐａ１が干渉している。これにより、信号品質が低下して受信性能が損なわれるという問題がある。
【００１２】
干渉信号の抑圧方法について、たとえば、特許第３９５６８２８号公報（特許文献２）には、受信信号に含まれるパイロットキャリアなどの受信既知信号を用いて受信信号から干渉信号成分（妨害波成分）を除去する等化方法が提案されている。
【００１３】
しかしながら、上述の通り、様々な機能及びアプリケーションが次世代のデジタル放送受信機に導入されることを想定した場合、同時受信の対象となる複数チャネルの組合せ及び希望信号と非希望信号との組合せは、非常に複雑なものとなることが容易に推測される。また、デジタル放送は種々な放送規格に従って運用されているので、既知信号の有無、送信信号への既知信号の挿入形式、及び、復調方法などが放送規格によって大きく異なる場合がある。上述の受信既知信号を用いた等化方法は、放送規格で定められた信号形式（伝送信号フォーマット）に依存する。このため、複数種の信号形式に対応しつつ受信性能を向上させる等化方法を実現するには、極めて複雑なアルゴリズムが必要である。
【００１４】
熱雑音については、ダイバーシチ受信機を用いて複数系統の受信信号を合成することで熱雑音を簡易に且つ効率良く低減させることが可能である。ダイバーシチ受信技術の合成方法としては、たとえば、選択合成法、等利得合成法及び最大比合成法が知られており、非特許文献１（Ｓｉｍｏｎ  Ｒ．Ｓａｕｎｄｅｒｓ「Ａｎｔｅｎｎａｓ  ａｎｄ  ｐｒｏｐａｇａｔｉｏｎ  ｆｏｒ  ｗｉｒｅｌｅｓｓ  ｃｏｍｍｕｎｉｃａｔｉｏｎ  ｓｙｓｔｅｍｓ」Ｊｏｈｎ  Ｗｉｌｅｙ  ＆  Ｓｏｎｓ，Ｌｔｄ、１９９９、ｐｐ．３３２−３３９）には、ダイバーシチ効果が定量的に示されている。
【００１５】
しかしながら、外部から到来した干渉信号は、ダイバーシチ受信機の複数の受信系統間で強い相関を持つ場合がある。このような場合、従来のダイバーシチ受信機では、受信信号に重畳された干渉信号を効率良く抑圧することが難しい。また、既知信号を参照する学習アルゴリズムを用いて干渉信号を抑圧する受信方法も知られているが、この受信方法は、放送規格に依存する方式であるため有効な解決策とは言い難い。
【００１６】
上記に鑑みて本発明の目的は、複数チャネルを同時受信する際に、非希望信号を効果的に抑圧して複数チャネルの受信信号品質を最適化することができる受信装置及び受信方法を提供することである。
【課題を解決するための手段】
【００１７】
本発明の一態様による受信装置は、所定の受信目的に応じて選択された第１乃至第Ｍのチャネル（Ｍは２以上の整数）を通じて伝送された信号を単一の受信系統で受信する受信装置であって、互いに異なる発振周波数を有する第１乃至第Ｍの発振信号を用いて前記受信系統で得られたアナログ受信信号を周波数変換することにより、第１乃至第Ｍの低周波信号を生成する周波数変換部と、前記第１乃至第Ｍの低周波信号を第１乃至第Ｍの利得でそれぞれ増幅して第１乃至第Ｍの増幅信号を生成する可変利得増幅部と、前記第１乃至第Ｍの増幅信号を互いに合成してアナログ合成信号を生成する信号合成部と、前記アナログ合成信号をデジタル合成信号に変換する信号変換部と、前記デジタル合成信号から前記第１乃至第Ｍのチャネルにそれぞれ対応する第１乃至第Ｍの検波信号を抽出する検波部と、前記第１乃至第Ｍの検波信号のＭ個の受信品質をそれぞれ検出する受信品質検出部と、複数種の受信目的と所要受信品質を表す所要品質パラメータとの間の関係を定める受信目的管理部と、前記受信目的管理部を参照して前記所定の受信目的に関連付けられた当該所要品質パラメータを取得し、当該取得された所要品質パラメータと前記受信品質検出部で検出されたＭ個の受信品質の各々の値とを比較し、その比較結果に基づいて前記可変利得増幅部における第１乃至第Ｍの利得を制御する利得制御部とを備えることを特徴とする。
【００１８】
本発明の他の一態様による受信方法は、所定の受信目的に応じて選択された第１乃至第Ｍのチャネル（Ｍは２以上の整数）を通じて伝送された信号を単一の受信系統で受信する受信方法であって、互いに異なる発振周波数を有する第１乃至第Ｍの発振信号を用いて、前記受信系統で得られたアナログ受信信号を周波数変換することにより、第１乃至第Ｍの低周波信号を生成するステップと、前記第１乃至第Ｍの低周波信号を第１乃至第Ｍの利得でそれぞれ増幅して第１乃至第Ｍの増幅信号を生成するステップと、前記第１乃至第Ｍの増幅信号を互いに合成してアナログ合成信号を生成するステップと、前記アナログ合成信号をデジタル合成信号に変換するステップと、前記デジタル合成信号から前記第１乃至第Ｍのチャネルにそれぞれ対応する第１乃至第Ｍの検波信号を抽出するステップと、前記第１乃至第Ｍの検波信号のＭ個の受信品質をそれぞれ検出するステップと、複数種の受信目的と所要受信品質を表す所要品質パラメータとの間の関係を定める受信目的管理部を参照して、前記所定の受信目的に関連付けられた当該所要品質パラメータを取得するステップと、当該取得された所要品質パラメータと当該検出されたＭ個の受信品質の各々の値とを比較し、その比較結果に基づいて第１乃至第Ｍの利得を制御するステップとを備えることを特徴とする。
【発明の効果】
【００１９】
本発明によれば、チャネル相互間の干渉信号及び熱雑音などの非希望信号の影響を適応的に制御して、各チャネルの受信信号品質を最適化することができる。
【図面の簡単な説明】
【００２０】
【図１】従来技術の問題点を説明するための図である。
【図２】本発明の実施の形態１の受信装置の概略構成を示すブロック図である。
【図３】実施の形態１の周波数変換部の概略構成を示す図である。
【図４】イメージ抑圧ミキサの構成例を概略的に示す図である。
【図５】（Ａ），（Ｂ）は、増幅信号の周波数スペクトルとアナログ合成信号の周波数スペクトルとを概略的に例示する図である。
【図６】（Ａ），（Ｂ）は、デジタル合成信号の周波数スペクトルと検波信号の周波数スペクトルとを概略的に例示する図である。
【図７】（Ａ），（Ｂ）は、デジタル合成信号の周波数スペクトルとベースバンド信号の周波数スペクトルとを例示する図である。
【図８】実施の形態１の復調部の構成例を概略的に示すブロック図である。
【図９】実施の形態１の復調部の他の構成例を概略的に示すブロック図である。
【図１０】実施の形態１の復調部のさらに他の構成例を概略的に示すブロック図である。
【図１１】実施の形態１の受信品質検出部の構成例を概略的に示すブロック図である。
【図１２】相互相関値（相関電力）の一例を示すグラフである。
【図１３】（Ａ），（Ｂ）は、各種受信目的の組み合わせに対応する最低受信電力値（単位：ｄＢｍ）を有する参照テーブルの例を示す図である。
【図１４】（Ａ）〜（Ｃ）は、利得制御が実行されない場合に生ずる問題点を説明するための図である。
【図１５】（Ａ），（Ｂ）は、実施の形態１の効果を説明するための図である。
【図１６】本発明に係る実施の形態２の受信装置の構成を示すブロック図である。
【図１７】本発明に係る実施の形態３の受信装置の構成を示すブロック図である。
【図１８】実施の形態３の受信品質検出部の概略構成を示すブロック図である。
【発明を実施するための形態】
【００２１】
以下、本発明に係る種々の実施の形態について図面を参照しつつ説明する。
【００２２】
実施の形態１．
図２は、本発明の実施の形態１の受信装置１の概略構成を示すブロック図である。この受信装置１は、複数チャネル同時受信方法を実現するものである。以下に説明するように、本実施の形態の受信装置１では、複数の受信チャネルに対して所期の受信目的に応じた所要受信品質を独立に規定することができる。また、複数の受信チャネルの受信品質を所要品質と比較し、その比較結果に応じて複数の受信チャネルに対する利得を個別に制御することもできるため、チャネル相互間の干渉信号及び／または熱雑音の影響を適応的に制御することができ、全てのチャネルの受信信号品質を全体として最適化することが可能である。
【００２３】
図２に示されるように、受信装置１は、受信アンテナ素子Ｒｘ、ＲＦ処理部１１、周波数変換部１２、可変利得増幅器１３、信号合成部１４、信号変換部１５、検波部１６、復調部１７、バックエンド部１８、受信品質検出部１９、制御部２０、受信目的管理部２１及び操作入力部２２を備えている。制御部２０は、可変利得増幅器１３における利得（ゲイン）を制御する利得制御部２０１と、周波数変換部１２で選択されるチャネルを制御するチャネル制御部２０２とを含む。受信品質検出部１９は、後述するように複数種の受信品質を検出し、これら複数種の受信品質の中から特定の受信品質を選択する機能を有している。制御部２０は、当該特定の受信品質を選択させる選択制御信号ＳＣを受信品質検出部１９に供給する選択制御部２００を含む。
【００２４】
操作入力部２２は、たとえば、キー入力デバイス及び／または表示デバイスを有する。ユーザは、操作入力部２２を操作して制御部２０に情報を入力し、これにより受信目的に応じたチャネルを指定することができる。
【００２５】
ＲＦ処理部１１は、単一の受信アンテナ素子Ｒｘを介して送信信号を受信し、アナログＲＦ信号Ｓｒｆを出力する。ＲＦ処理部１１は、帯域通過フィルタ及び信号増幅器などのＲＦ信号処理を行うアナログ素子群を有する。アナログＲＦ信号Ｓｒｆは、同時受信のために選択されたＭ個のチャネルを通じて伝送された高周波信号の全てを含む。
【００２６】
周波数変換部１２は、互いに異なる発振周波数を有するＭ個の発振信号を用いてアナログＲＦ信号Ｓｒｆの高周波帯域を低周波帯域（たとえば、ＩＦ帯）へ変換して、Ｍ個のチャネルにそれぞれ対応するＭ系統の低周波信号Ｐ１〜ＰＭを生成する。図３は、実施の形態１の周波数変換部１２の概略構成を示す図である。
【００２７】
図３に示されるように、周波数変換部１２は、周波数制御信号Ｙ１〜ＹＭで指定された発振周波数をそれぞれ有する発振信号ＬＯ１〜ＬＯＭを生成する局部発振器３３と、アナログ乗算器（ミキサ）３２１〜３２Ｍと、抑圧部３４１〜３４Ｍとを有している。周波数制御信号Ｙ１〜ＹＭは、チャネル制御部２０２から供給される。
【００２８】
アナログ乗算器３２１〜３２Ｍは、アナログＲＦ信号Ｓｒｆを発振信号ＬＯ１〜ＬＯＭにそれぞれ乗算（混合）する。アナログ乗算器３２１〜３２Ｍの各々の出力は、発振周波数ｆＯＳとアナログＲＦ信号Ｓｒｆの周波数Ｆｒｆとの差（＝Ｆｒｆ−ｆＯＳ）及び和（＝Ｆｒｆ＋ｆＯＳ）の周波数を有する信号を出力する。抑圧部３４１〜３４Ｍは、当該和の周波数を含む高周波帯域の信号成分を減衰させて、実質的に当該差の周波数を中心周波数とする低周波信号Ｐ１〜ＰＭのみを出力する。ここで、発振信号ＬＯ１〜ＬＯＭの発振周波数は、低周波信号Ｐ１〜ＰＭの希望信号成分が周波数軸上で互いに隣接するような周波数に設定されることが望ましい。
【００２９】
たとえば、アナログＲＦ信号Ｓｒｆが中心周波数４００ＭＨｚを有する高周波信号を含み、アナログ乗算器３２１がアナログＲＦ信号Ｓｒｆに発振周波数４８０ＭＨｚの発振信号を乗算する場合、アナログ乗算器３２１の出力は、８０ＭＨｚ（＝４８０ＭＨｚ−４００ＭＨｚ）の信号成分と、８８０ＭＨｚ（＝４８０ＭＨｚ＋４００ＭＨｚ）の信号成分とを含む。抑圧部３４１は、８８０ＭＨｚの信号成分を減衰させるので、中心周波数８０ＭＨｚを有する低周波信号Ｐ１を出力することとなる。
【００３０】
なお、アナログ乗算器３２１〜３２Ｍの各々を別構成のミキサ回路に置き換えることが可能である。たとえば、アナログ乗算器３２１〜３２Ｍの各々をイメージ抑圧ミキサで置き換えることができる。アナログＲＦ信号Ｓｒｆは、発振信号ＬＯ１〜ＬＯＭの発振周波数に対して希望信号成分の周波数と対称な点の影像周波数（イメージ周波数）を持つイメージ信号成分を含む場合がある。この場合に、図３のアナログ乗算器３２１〜３２Ｍでは、混合処理により、イメージ信号成分の周波数と希望信号成分の周波数とが同じ周波数に変換される。イメージ抑圧ミキサは、そのようなイメージ信号成分を効率良く抑圧する機能を有する。
【００３１】
図４は、イメージ抑圧ミキサ３２Ｓの構成例を概略的に示す図である。図４のイメージ抑圧ミキサ３２Ｓは、位相器３５，３７、周波数シフト部３６、前段乗算器４１，４２、フィルタ部４３，４４、増幅器４５，４６、後段乗算器４７，４８及び相殺部４９で構成されている。発振信号ＬＯｍは、３系統に分岐されて、前段乗算器４１、移相器３５及び周波数シフト部３６に供給される。位相器３５は、入力された発振信号ＬＯｍを９０°だけ移相し、当該移相後の発振信号を前段乗算器４２に供給する。一方、周波数シフト部３６は、発振信号ＬＯｍの発振周波数をシフトして、当該シフトされた周波数を有する信号を後段乗算器４７と位相器３７とに供給する。位相器３７は、入力された信号を９０°だけ移相し、当該移相後の信号を後段乗算器４８に供給する。
【００３２】
前段乗算器４１は、アナログＲＦ信号Ｓｒｆに発振信号ＬＯｍを乗算（混合）する。フィルタ部４３は、前段乗算器４１の出力をフィルタリングする。増幅器４５は、このフィルタ部４３の出力を増幅する。一方、前段乗算器４２は、アナログＲＦ信号Ｓｒｆに移相後の発振信号を乗算（混合）する。フィルタ部４３は、前段乗算器４２の出力をフィルタリングする。そして、増幅器４６は、このフィルタ部４４の出力を増幅する。
【００３３】
後段においては、後段乗算器４７は、増幅器４５の出力に周波数シフト部３６の出力を乗算（混合）する。一方、後段乗算器４８は、増幅器４６の出力に位相器３４の出力を乗算（混合）する。そして、相殺部４９は、後段乗算器４７，４８の出力の一方から他方を減算してイメージ信号成分をキャンセルし、その結果を出力することができる。
【００３４】
次に、図２を参照すると、可変利得増幅器１３は、利得制御信号Ｚ１〜ＺＭで指定された利得α１〜αＭで低周波信号Ｐ１〜ＰＭをそれぞれ増幅し、増幅信号Ｇ１〜ＧＭを出力する機能を有する。利得制御信号Ｚ１〜ＺＭは、利得制御部２０１から供給される。
【００３５】
具体的には、次式に従って、ｍ番目チャネルに対応する増幅信号Ｇｍを生成することができる。
Ｇｍ＝αｍ×Ｐｍ
【００３６】
信号合成部１４は、Ｍ系統の増幅信号Ｇ１〜ＧＭを互いに加算して１系統のアナログ合成信号Ｓａを生成する。図５（Ａ）は、増幅信号Ｇ１〜ＧＭの周波数スペクトルを例示し、図５（Ｂ）は、アナログ合成信号Ｓａの周波数スペクトルを例示する図である。図５（Ａ）に示されるように、増幅信号Ｇ１〜ＧＭは、チャネル成分ＣＨ１〜ＣＨＭをそれぞれ有する。アナログ合成信号Ｓａは、図５（Ｂ）に示されるように、チャネル成分ＣＨ１〜ＣＨＭが互いに合成されたものである。
【００３７】
図２に示される信号変換部１５は、アナログ合成信号Ｓａをサンプリング（標本化）し、当該サンプリングされた値を量子化し、さらに量子化値を符号化することでデジタル合成信号Ｓｄを生成する。
【００３８】
検波部１６は、デジタル合成信号Ｓｄを検波して、デジタル合成信号ＳｄからＭ個のチャネルにそれぞれ対応する検波信号Ｄ１〜ＤＭを希望信号として抽出する。検波部１６は、たとえば、デジタルフィルタを用いて構成されればよい。図６（Ａ）は、デジタル合成信号Ｓｄの周波数スペクトルを例示し、図６（Ｂ）は、検波信号Ｄ１〜ＤＭの周波数スペクトルを例示する図である。デジタル合成信号Ｓｄは、図６（Ａ）に示されるように複数のチャネル成分Ｄｃｈ１〜ＤｃｈＭを有する。検波信号Ｄ１〜ＤＭは、図６（Ｂ）に示されるように、デジタル合成信号Ｓｄから抽出されたチャネル成分Ｄｃｈ１〜ＤｃｈＭをそれぞれ有する。
【００３９】
なお、検波部１６は、検波信号Ｄ１〜ＤＭを直交復調してベースバンド信号を検波信号Ｄ１〜ＤＭとして生成する機能を有していてもよい。図７（Ａ）は、デジタル合成信号Ｓｄの周波数スペクトルを例示し、図７（Ｂ）は、ベースバンド信号である検波信号Ｄ１〜ＤＭの周波数スペクトルを例示する図である。この場合、検波信号Ｄ１〜ＤＭは、図７（Ｂ）に例示されるように、デジタル合成信号Ｓｄから生成されたベースバンド信号成分ＢＢ１〜ＢＢＭをそれぞれ有している。
【００４０】
次に、図２を参照すると、復調部１７は、Ｍ系統の検波信号Ｄ１〜ＤＭの希望信号成分を復調してＭ系統の復調信号Ｅ１〜ＥＭを生成する。図８は、復調部１７の構成例を概略的に示すブロック図である。図８に示される復調部１７は、時間軸処理部５１１〜５１Ｍ、直交変換部５２１〜５２Ｍ、周波数軸処理部５３１〜５３Ｍ及び誤り訂正処理部５４１〜５４Ｍを有する。
【００４１】
時間軸処理部５１１〜５１Ｍは、たとえば、ＩＦ帯の検波信号Ｄ１〜ＤＭを複素ベースバンド信号に周波数変換するための直交復調機能、及び、フレーム同期位置及び／またはシンボル開始位置を検出するための相関演算機能（自己相関演算またはスライディング相関演算）を有していればよい。なお、入力信号がガードインターバルなどの冗長信号（サイクリック・プレフィクス）と疑似ランダム系列などの受信既知信号のいずれも有していない場合は、時間軸処理部５１１〜５１Ｍは、相関演算機能を有する必要はない。また、入力信号Ｄ１〜ＤＭが既に複素ベースバンド信号である場合には、時間軸処理部５１１〜５１Ｍは、直交復調機能を有する必要はない。
【００４２】
直交変換部５２１〜５２Ｍは、時間軸処理部５１１〜５１Ｍの出力にそれぞれ高速フーリエ変換などの直交変換を施してＭ系統の周波数領域信号を生成する。周波数軸処理部５３１〜５３Ｍは、Ｍ系統の周波数領域信号に対して、たとえば、デジタル復調、デマッピング、パイロット信号の抽出処理、パイロット信号を参照した伝送路推定、及び／または信号等化を実行する機能を有していればよい。ただし、入力信号Ｄ１〜ＤＭがパイロット信号を含んでいない場合は、周波数軸処理部５３１〜５３Ｍは、パイロット信号の抽出機能及び伝送路推定機能を有する必要はない。なお、伝送路推定機能としては、公知技術を利用すればよく、特に限定されるものではない。たとえば、非特許文献２（生岩量久著「ディジタル通信・放送の変復調技術」，コロナ社，２００９年１月５日，ｐｐ．１３２−１３４）に開示されている公知の伝送路推定方法とその伝送路推定値を使用した公知の等化方法とを採用することが可能である。
【００４３】
図９は、復調部１７の他の構成例を概略的に示すブロック図である。図１０の構成例は、検波信号Ｄ１〜ＤＭの全てがデジタル変調信号（デジタル情報を伝送する信号）である場合に適用される構成である。これに対し、図９の構成例は、検波信号Ｄ１がアナログ変調信号（アナログ情報を伝送する信号）であり、他の検波信号Ｄ２〜ＤＭがデジタル変調信号である場合に適用される構成である。図９の構成例を採用することで、デジタル情報とアナログ情報とを同時受信することが可能となる。なお、検波信号Ｄ１〜ＤＭの全てがアナログ変調信号である場合には、時間軸処理部５１１〜５１Ｍのみを有する図１０の構成例を採用すればよい。
【００４４】
次に、図２を参照すると、バックエンド部１８は、Ｍ系統の復調信号Ｅ１〜ＥＭを個別にデコードしてＭ系統の復号信号Ｌ１〜ＬＭを生成する。これら復号信号Ｌ１〜ＬＭは、たとえば、テレビジョン放送及び／またはラジオ放送によって送信される映像信号、音声信号及び／またはデータ信号である。
【００４５】
一方、受信品質検出部１９は、検波信号Ｄ１〜ＤＭの受信品質を検出し、これら受信品質をそれぞれ表す受信品質信号Ｘ１〜ＸＭを制御部２０に供給することができる。受信品質の値としては、たとえば、受信電力（受信感度）、ＳＮ比（信号対雑音電力比）、ＤＵ比（希望波対非希望波電力比）及びＣＮ比（搬送波対雑音電力比）が挙げられるが、これらに限定されるものではない。たとえば、図８の誤り訂正処理部５４１〜５４Ｍで検出されるビット誤り率を受信品質の値として使用することも可能である。
【００４６】
図１１は、受信品質検出部１９の構成例を概略的に示すブロック図である。図１１に示される受信品質検出部１９は、電力情報算出部６１、相関演算部６２及びセレクタ６３を備えている。電力情報算出部６１は、検波信号Ｄ１〜ＤＭの各々の受信電力を算出してセレクタ６３に供給することができる。受信電力は、瞬時電力であってもよいし、あるいは、時間平均電力であってもよい。
【００４７】
一方、相関演算部６２は、検波信号Ｄ１〜ＤＭに対して自己相関演算または相互相関演算を実行して検波信号Ｄ１〜ＤＭ各々の時間相関値（電力値）を算出する機能を有する。相関演算部６２は、さらに、時間相関値に基づいてＳＮ比及びＤＵ比を算出し、セレクタ６３に供給することができる。検波信号Ｄ１〜ＤＭのいずれかがガードインターバルなどの冗長信号（サイクリック・プレフィクス）を有する場合には、当該冗長信号を使用した自己相関演算を実行することで時間相関値を得ることができる。また、検波信号Ｄ１〜ＤＭのいずれかが疑似ランダム系列などの受信既知信号を有する場合には、受信既知信号を利用した相互相関演算（スライディング相関演算）を実行することで時間相関値を得ることが可能である。
【００４８】
図１２は、相互相関値（相関電力）の一例を示すグラフである。図１２のグラフでは、希望波成分Ｄｗと、干渉波成分などの非希望波成分Ｕｗと、雑音成分Ｎｓとが現れている。ＳＮ比は、たとえば、希望波成分Ｄｗのピーク電力と、雑音成分Ｎｓの平均電力とに基づいて算出することができる。なお、ＳＮ比は、瞬時ＳＮ比であってもよいし、あるいは、時間平均ＳＮ比であってもよい。また、ＤＵ比は、希望波成分Ｄｗのピーク電力と非希望波成分Ｕｗのピーク電力とに基づいて算出することが可能である。なお、ＤＵ比は、瞬時ＤＵ比であってもよいし、あるいは、時間平均ＤＵ比であってもよい。
【００４９】
セレクタ６３は、制御部２０から供給された選択制御信号ＳＣに応じて、電力情報算出部６１の出力（受信電力）及び相関演算部６２の出力（ＳＮ比及びＤＵ比）のいずれかを受信品質信号Ｘ１〜ＸＭとして制御部２０に出力することができる。
【００５０】
一方、図２の受信目的管理部２１は、複数種の受信目的と所要受信品質を表す所要品質パラメータとの間の関係を定める参照テーブルを有している。ここで、「受信目的」は、「復調目的」、「復号目的」、「固定チャネル受信」及び「チャネル検索」に大きく分類される。「復調目的」は、たとえば、「デジタル情報受信」及び「アナログ情報受信」のうちの少なくとも１種で構成され、「復号目的」は、たとえば、「映像信号受信」、「音声信号受信」及び「映像信号受信と音声信号受信とを除くデータ信号受信」のうちの少なくとも１種で構成される。
【００５１】
また、「チャネル検索」は、チャネル制御部２０２によって発振周波数を変化させることで実行される。チャネル制御部２０２は、たとえば、Ｍ個の受信チャネルのうちの特定のチャネルについて固定チャネル受信を実行させ、これと並行して、他のチャネルについてはバックグランドでチャネル検索を実行させることが可能である。なお、日本の地上デジタル放送規格に基づく「フルセグ受信（１２セグメント受信）」及び「ワンセグ受信（１セグメント受信）」を受信目的の種類に追加してもよい。
【００５２】
受信目的管理部２１で管理される参照テーブルは、複数種の受信目的の組み合わせに対応して設定された所要最低受信電力、所要ＳＮ比及び／または所要ＤＵ比などの指標値を所要品質パラメータとして有する。図１３（Ａ），（Ｂ）は、各種受信目的の組み合わせに対応する最低受信電力値（単位：ｄＢｍ）を有する参照テーブルの例を示す図である。図１３（Ａ）の参照テーブルは、デジタル情報受信、固定チャネル受信、チャネル検索、映像信号受信、音声信号受信及びデータ信号受信の組み合わせに対応する最低受信電力値を規定するものであり、図１３（Ｂ）の参照テーブルは、アナログ情報受信、固定チャネル受信、チャネル検索、映像信号受信、音声信号受信及びデータ信号受信の組み合わせに対応する最低受信電力値を規定するものである。なお、最低受信電力値に代えて、ＳＮ比やＤＵ比の目標値などを定めてもよい。
【００５３】
利得制御部２０１は、受信目的管理部２１を参照して、Ｍ個の受信チャネルの受信目的（Ｍ個の希望信号に随伴する受信目的）にそれぞれ対応する所要品質パラメータを表す所要品質信号Ｑ１〜ＱＭを取得する。たとえば、第１の受信チャネルの受信目的が「デジタル情報受信」、「固定チャネル受信」及び「映像信号受信」の組み合わせである場合には、利得制御部２０１は、図１３（Ａ）の参照テーブルに記憶されている−７０ｄＢｍを表す受信品質信号Ｑ１を取得することができる。あるいは、第１の受信チャネルの受信目的が「アナログ情報受信」、「チャネル検索」及び「映像信号受信」の組み合わせである場合は、利得制御部２０１は、図１３（Ｂ）の参照テーブルに記憶されている−９０ｄＢｍを表す受信品質信号Ｑ１を取得することが可能である。
【００５４】
そして、利得制御部２０１は、受信品質信号Ｘ１〜ＸＭと所要品質信号Ｑ１〜ＱＭとを受信チャネル毎に比較し、その比較結果に基づいて、可変利得増幅器１３における利得α１〜αＭを制御することができる。これにより、チャネル相互間の干渉信号及び／または熱雑音の影響を適応的に制御することができ、従来と比べると、全てのチャネルの受信信号品質を全体として最適化することができる。
【００５５】
たとえば、利得制御部２０１は、全ての受信チャネルについてのその比較結果の総和が減少するように利得α１〜αＭを制御することができる。具体的には、差分絶対値｜Ｘ１−Ｑ１｜，…，｜ＸＭ−ＱＭ｜の総和Δが低減するように利得α１〜αＭを制御すればよい。総和Δは、たとえば、次式で与えられる。
Δ＝｜Ｘ１−Ｑ１｜＋…＋｜ＸＭ−ＱＭ｜
【００５６】
もしくは、希望信号の受信電力の絶対値に依存しない評価指標として、次式を用いて総和Δを算出してもよい。
Δ＝｜（Ｘ１−Ｑ１）／Ｑ１｜＋…＋｜（ＸＭ−ＱＭ）／ＱＭ｜
【００５７】
たとえば、第１の希望信号の所要ＳＮ比（Ｑ１）と第２の希望信号の所要ＳＮ比（Ｑ２）が同じであるにも関わらず、検波信号Ｄ１の受信ＳＮ比（Ｘ１）が低く、検波信号Ｄ２の受信ＳＮ比（Ｘ２）が高い場合を想定する。この場合でも、利得制御部２０１は、総和Δを減少させるため、第１の希望信号の利得α１を大きくするための利得制御信号Ｚ１を出力するとともに、第２の希望信号の利得α２を小さくするための利得制御信号Ｚ２を出力することができる。
【００５８】
図１４（Ａ）〜（Ｃ）は、仮に利得制御部２０１が利得制御を実行しない場合に生ずる問題点を説明するための図である。図１４（Ａ）は、非希望波成分Ｃｎ，Ｃｐと希望信号成分ＣＨ１，ＣＨ２とを含む増幅信号Ｇ１，Ｇ２の周波数スペクトルを例示する図であり、図１４（Ｂ）は、アナログ合成信号Ｓａの周波数スペクトルを例示する図であり、図１４（Ｃ）は、検波信号Ｄ１，Ｄ２の周波数スペクトルを例示する図である。図１４（Ｂ）に示されるように、図１４（Ａ）の周波数スペクトルを有する増幅信号Ｇ１，Ｇ２を合成すると、希望信号成分ＣＨ１に非希望信号成分Ｃｐが重畳する。このため、図１４（Ｃ）に示されるように、検波信号Ｄ１において、希望信号成分Ｄｃｈ１に振幅の大きな非希望信号成分Ｄｐが重畳されるため、信号品質が大きく劣化する。
【００５９】
これに対し、本実施の形態の利得制御部２０１は、図１５（Ａ）に示されるように、増幅信号Ｇ１に対する利得α１を増加させ、増幅信号Ｇ２に対する利得α２を低下させることができる。これにより、図１５（Ｂ）に示されるように、検波信号Ｄ１，Ｄ２の受信ＳＮ比の差を小さくすることができる。このようにして、受信信号品質を相互に最適化することが可能となり、検波信号Ｄ１，Ｄ２の信号品質を全体として改善することができる。
【００６０】
たとえば、受信目的が「デジタル情報受信」である場合（図１３（Ａ））を考えると、「映像信号受信」「音声信号受信」「データ信号受信」のうち、最も高い所要最低受信電力が必要となるのは、通常「映像信号受信」である。これは、映像信号を放送するためには、音声信号やデータ信号に比べてより速い伝送速度が必要となり、変調多値数の大きいデジタル変調方式を用いる必要があるからである。また、「データ信号受信」は、データの種類や容量、緊急度に応じて所要最低受信電力を変化させるべきであり、図１３（Ａ），（Ｂ）には、一例として「音声信号受信」と同程度の所要最低受信電力が必要な場合が示されている。
【００６１】
このような観点から、利得制御部２０１は、映像信号受信を受信目的とする検波信号Ｄｍの受信品質の値が、音声信号受信を受信目的とする検波信号Ｄｋ（ｍ≠ｋ）の受信品質の値よりも大きくなるように利得α１〜αＭを制御することが好ましい。
【００６２】
受信目的が「チャネル検索」である場合は、受信信号電力の大小比較のみで十分な場合や、「固定チャネル受信」（映像音声データ出力）を行うためのデコードが不必要となる場合があるため、通常「固定チャネル受信」の場合と比べると所要最低受信電力を小さくすることができる。
【００６３】
次に、受信目的が「アナログ情報受信」である場合（図１３（Ｂ））を考える。このときも、上記「デジタル情報受信」の場合と同様の考え方で所要最低受信電力を設定することができる。アナログ情報受信の場合は、一般的にデジタル情報受信の場合と比較して所要最低受信電力を小さく設定することが可能となる。
【００６４】
したがって、利得制御部２０１は、デジタル情報受信を受信目的とする検波信号Ｄｍの受信品質の値が、アナログ情報受信を受信目的とする検波信号Ｄｋ（ｍ≠ｋ）の受信品質の値よりも大きくなるように利得α１〜αＭを制御することが好ましい。
【００６５】
以上に説明したように実施の形態１は、受信信号から複数のチャネル成分を抽出し、複数のチャネル成分に対する複数の利得を個別に調整した後に合成（加算）することができる。これにより、複数チャネルの受信信号品質を全体として最適化することができる。したがって、チャネル相互間の干渉信号及び／または熱雑音の影響を適応的に制御することができ、単一の信号変換部１５を用いて複数チャネル同時受信を実行する際に、各々のチャネルの受信信号品質を最適化することが可能となる。
【００６６】
実施の形態２．
次に、本発明に係る実施の形態２について説明する。図１６は、実施の形態２の受信装置１Ｂの構成を示すブロック図である。実施の形態２の受信装置１Ｂは、上記実施の形態１の利得制御部２０１に代えて利得制御部２０１Ｂを有する点を除いて、上記実施の形態１の受信装置１の構成と同じである。
【００６７】
本実施の形態の利得制御部２０１Ｂは、デジタル合成信号Ｓｄの振幅を監視して、アナログ合成信号Ｓａの振幅が信号変換部１５のダイナミックレンジ（許容入力電圧範囲）内に収まるように可変利得増幅器１３の利得α１〜αＭを制御することができる。
【００６８】
信号変換部１５に入力されるアナログ合成信号Ｓａの電力は、増幅信号Ｇ１〜ＧＭの電力の和となるため、アナログ合成信号Ｓａの振幅が信号変換部１５のダイナミックレンジ内に収まらないおそれがある。本実施の形態では、利得制御部２０１Ｂは、アナログ合成信号Ｓａの振幅が常に信号変換部１５のダイナミックレンジ内に収まるように利得α１〜αＭを制御することができるため、信号変換部１５は、飽和レベルを有するデジタル合成信号Ｓｄの出力を確実に回避することができる。
【００６９】
したがって、単一の信号変換部１５を用いて複数チャネルの同時受信を実行する場合でも、各々のチャネルの受信信号品質を安定的に最適化することができる。
【００７０】
実施の形態３．
次に、本発明に係る実施の形態３について説明する。図１７は、実施の形態３の受信装置１Ｃの構成を示すブロック図であり、図１８は、受信装置１Ｃを構成する受信品質検出部１９Ｃの概略構成を示すブロック図である。本実施の形態の受信装置１Ｃの構成は、上記実施の形態１の制御部２０及び受信品質検出部１９に代えて図１７の制御部２０Ｃ及び受信品質検出部１９Ｃを有し且つ伝送フォーマット検出部２５を有する点を除いて、実施の形態１の受信装置１の構成と同じである。
【００７１】
本実施の形態の伝送フォーマット検出部２５は、復調部１７の出力Ｅ１〜ＥＭとバックエンド部１８の出力Ｌ１〜ＬＭとの少なくとも一方に基づいて各受信チャネルの伝送フォーマットを検知し、その検知結果を示す検知信号ＦＤを制御部２０Ｃに供給する。具体的には、伝送フォーマット検出部２５は、検波信号Ｄ１〜ＤＭが上記時間相関値を算出可能な伝送フォーマットを有するか否かを受信チャネルごとに検知することができる。上述したように、検波信号Ｄ１〜ＤＭのいずれかがガードインターバルなどの冗長信号（サイクリック・プレフィクス）を有する場合、もしくは、検波信号Ｄ１〜ＤＭのいずれかが疑似ランダム系列などの受信既知信号を有する場合には、受信品質検出部１９Ｃは、冗長信号及び／または受信既知信号を用いて時間相関値を算出することが可能である。選択制御部２００Ｃは、検知信号ＦＤに基づいて選択制御信号ＳＣを生成する。
【００７２】
受信品質検出部１９Ｃは、上記実施の形態１の受信品質検出部１９と同様の電力情報算出部６１及び相関演算部６２を有する。本実施の形態の受信品質検出部１９Ｃでは、セレクタ６３Ｃは、選択制御信号ＳＣに応じて、検波信号Ｄ１〜ＤＭのいずれかが上記時間相関値を算出可能な伝送フォーマットを有するときは、相関演算部６２の出力のうち当該伝送フォーマットを有する検波信号から得られた出力を有意な受信品質の値として選択する。一方、検波信号Ｄ１〜ＤＭのいずれかが上記時間相関値を算出可能な伝送フォーマットを有していないときは、セレクタ６３Ｃは、電力情報算出部６１の出力のうち当該伝送フォーマットを有しない検波信号から得られた出力を有意な受信品質の値として選択する。
【００７３】
したがって、たとえば、検波信号Ｄ１〜ＤＭのいずれかが、ガードインターバルなどの冗長信号（サイクリック・プレフィクス）と疑似ランダム系列などの受信既知信号とのいずれも有していない場合は、セレクタ６３Ｃは、自動的に電力情報算出部６１の出力を選択することができる。
【００７４】
このように実施の形態３では、受信目的に応じた所要受信品質と検波信号Ｄ１〜ＤＭの受信品質との比較精度をさらに向上させることができるため、チャネル相互間の干渉信号や熱雑音の影響のさらなる高精度な適応制御が可能となる。それ故、単一の信号変換部１５を用いて複数チャネル同時受信を実行する際に、各々のチャネルの受信信号品質をさらに効率的に最適化することが可能となる。
【００７５】
なお、実施の形態３の制御部２０Ｂの利得制御部２０１を、上記実施の形態２の制御部２０Ｃの利得制御部２０１Ｂに置き換えてもよい。これにより、アナログ合成信号Ｓａの振幅が常に信号変換部１５のダイナミックレンジ内に収まるように利得α１〜αＭを制御することが可能となる。
【００７６】
以上、図面を参照して本発明に係る種々の実施の形態について述べたが、これらは本発明の例示であり、上記以外の様々な形態を採用することもできる。たとえば、上記実施の形態１〜３は、受信チャネル数Ｍが２の場合に限らないが、たとえば、直交周波数分割多重方式を用いて放送されている２種類のチャネルを同時に受信する場合に好適な構成である。また、直交周波数分割多重方式を用いて放送されているチャネルと、直交周波数分割多重方式を用いずに放送されているチャネルとを同時に受信する場合であっても好適な構成である。
【００７７】
また、デジタル変調信号を含む放送チャネルと、アナログ変調信号を含む放送チャネルとを同時に受信する場合であっても、上記実施の形態１〜３の構成を採用することにより、受信信号品質を効率的に最適化することができる。
【００７８】
また、本発明の受信品質検出部は、図２，図１６及び図１７に示した受信品質検出部１９，１９Ｃに限定されるものではない。たとえば、図８に示した誤り訂正処理部５４１〜５４Ｍがビット誤り率を受信品質の値として検出する場合には、これら誤り訂正処理部５４１〜５４Ｍが本発明の受信品質検出部の一部を構成し得る。
【００７９】
さらに、本発明の効果は、受信チャネル数Ｍの値が３以上の任意の値の場合に対しても同様に得られる。たとえば、直交周波数分割多重方式を用いて放送されているデジタル放送チャネルと、直交周波数分割多重方式を用いずに放送されているデジタル放送チャネルと、アナログ変調信号を含む放送チャネルとを全て同時に受信する場合であっても、本発明の実施の形態による効果を得ることが可能である。
【００８０】
また、上記実施の形態１〜３の受信装置１，１Ｂ，１Ｃの機能の一部（特に、デジタル信号処理を実行する機能）は、ハードウェア構成で実現されてもよいし、あるいは、ＣＰＵを含むマイクロプロセッサにより実行されるコンピュータプログラムで実現されてもよい。当該機能の一部がコンピュータプログラムで実現される場合には、マイクロプロセッサは、コンピュータ読み取り可能な記録媒体（たとえば、光ディスク、磁気記録媒体またはフラッシュメモリ）から当該コンピュータプログラムをロードし実行することによって当該機能の一部を実現することができる。
【符号の説明】
【００８１】
１，１Ｂ，１Ｃ  受信装置、  １１  ＲＦ処理部、  １２  周波数変換部、  １３  可変利得増幅器、  １４  信号合成部、  １５  信号変換部、  １６  検波部、  １７  復調部、  １８  バックエンド部、  １９，１９Ｃ  受信品質検出部、  ２０，２０Ｂ  制御部、  ２０１，２０１Ｂ  利得制御部、  ２０２  チャネル制御部、  ２１  受信目的管理部、  ２２  操作入力部、  ３２１〜３２Ｍ  アナログ乗算器、  ３２Ｓ  イメージ抑圧ミキサ、  ３３  局部発振器、  ３４１〜３４Ｍ  抑圧部、  ５１１〜５１Ｍ  時間軸処理部、  ５２１〜５２Ｍ  直交変換部、  ５３１〜５３Ｍ  周波数軸処理部、  ５４１〜５４Ｍ  誤り訂正処理部、  ６１  電力情報算出部、  ６２  相関演算部、  ６３，６３Ｃ  セレクタ。
【図１】
2014155036.tif 000003
【図２】
2014155036.tif 000004
【図３】
2014155036.tif 000005
【図４】
2014155036.tif 000006
【図５】
2014155036.tif 000007
【図６】
2014155036.tif 000008
【図７】
2014155036.tif 000009
【図８】
2014155036.tif 000010
【図９】
2014155036.tif 000011
【図１０】
2014155036.tif 000012
【図１１】
2014155036.tif 000013
【図１２】
2014155036.tif 000014
【図１３】
2014155036.tif 000015
【図１４】
2014155036.tif 000016
【図１５】
2014155036.tif 000017
【図１６】
2014155036.tif 000018
【図１７】
2014155036.tif 000019
【図１８】
2014155036.tif 000020